(57)【要約】      （修正有）【要約書】【解決課題】リサイクルに適し環境にやさしい手提げ袋などの袋を提供する。【解決手段】表示したいロゴマークやイラストなどを、袋１の一部又は全面に、インクで描くのではなく、エンボス３で形成する。【選択図】図１
0003221743.tif 000002
【実用新案登録請求の範囲】
【請求項１】
袋（１）であって，
袋（１）は，その一部又は全面に１つ又は連続したエンボス（３）を有し，
前記１つ又は連続したエンボスを構成する単位エンボスは，ロゴマークを含む，袋。
【請求項２】
請求項１に記載の袋であって，
プラスチック製である袋。
【請求項３】
請求項１に記載の袋であって，
前記連続したエンボスは，袋の全面に存在する，袋。
【請求項４】
請求項１に記載の袋であって，
前記ロゴマークは，日本有機資源協会によるバイオマスマーク，又は日本バイオプラスチック協会によるバイオマスプラのシンボルマークの形状を有する，袋。
【請求項５】
請求項１に記載の袋であって，
前記ロゴマークにより，インクの代わりに袋の原材料情報や特長を表記することができる，袋。
【考案の詳細な説明】
【技術分野】
【０００１】
この考案は，エンボスを有する袋に関する。
【背景技術】
【０００２】
例えば，特開２００３−１４４２１６号公報には，手提げ袋が記載され，その段落［００１４］には，記号やイラストを描画することが記載されている。記号（ロゴなど）やイラストを手提げ袋に描画することは，記号の持つ意味を表示でき，手提げ袋の美観を向上させ、袋に関する情報を表現することができる。
【先行技術文献】
【特許文献】
【０００３】
【特許文献１】特開２００３−１４４２１６号公報
【考案の概要】
【考案が解決しようとする課題】
【０００４】
一方，袋に記号やイラストを描画すると，インク等のコストがかかり，さらにはリサイクルの際に袋を構成する物質以外の物質が存在することとなるため，リサイクルに適さず，また環境にやさしくない。  
【課題を解決するための手段】
【０００５】
上記の課題を解決するため，この考案は，袋に対し，ロゴなどをエンボス加工することとした。エンボス加工であれば，袋に対し，インクを固着させる必要がないので，袋の製造コストを抑えることができ，しかもリサイクルしやすい袋を提供できることとなる。つまり，この考案は，表示したいロゴマークなどを，インクで描くのではなく，エンボスにて形成した袋に関する。
【０００６】
この考案は，袋１に関する。袋１は，その一部又は全面に１つ又は連続したエンボス３を有する。そして，１つ又は連続したエンボスを構成する単位エンボスは，ロゴマークを含む。この考案の特徴のひとつは，ロゴマークにより，インクの代わりに袋の原材料情報や特長を表記することができる袋である点である。
【０００７】
好ましい袋１は，連続したエンボスが，袋の全面に存在するものである。
【０００８】
ロゴマークの例は，日本有機資源協会によるバイオマスマーク，又は日本バイオプラスチック協会によるバイオマスプラのシンボルマークの形状を有するものである。
【考案の効果】
【０００９】
この考案によれば，ロゴマークを印刷せずにエンボスにしたので，インク等を用いずに，ある記号のイメージを表示できる。また，袋の原材料に関する情報を表記でき、製造コストの軽減や環境にやさしい袋を提供できる。
【図面の簡単な説明】
【００１０】
【図１】図１は，エンボスを有する袋を説明するための概念図である。
【図２】図２は，複数の連続したエンボスを有する袋を説明するための概念図である。
【図３】図３は，複数種類のロゴマークの形状を有するエンボスを有する袋を説明するための概念図である。
【図４】図４は，全面にエンボスを設けた袋の設計図の例である。
【図５】図５は，実際に製造した袋の図面に替わる写真である。
【考案を実施するための形態】
【００１１】
以下，図面を用いて本考案を実施するための形態について説明する。本考案は，以下に説明する形態に限定されるものではなく，以下の形態から当業者が自明な範囲で適宜修正したものも含む。
【００１２】
図１は，エンボスを有する袋を説明するための概念図である。図２は，複数の連続したエンボスを有する袋を説明するための概念図である。この考案は，袋１に関する。袋の例は手提げ袋である。もっとも，本考案は，手提げ袋に限定されず，ごみ袋、規格袋、キッチン袋などの平袋も含む。手提げ袋は，手提袋，手携袋，レジ袋，ファッション袋及び取っ手が紐状となっているループ袋などともよばれる。手提げ袋や平袋の主な素材が樹脂（プラスチック）又は紙である。手提げ袋は，本体部に荷物を収容し，把持部を把持することで，荷物を持ち運ぶことができるものである。特に好ましい袋は，プラスチック製（例えば，ポリエチレン製，ポリプロピレン製，ＰＥＴ製，ナイロン製，生分解性プラスチック製)のである。袋自体は，公知であるから公知の方法により製造できる。
【００１３】
図１及び図２に示されるように，袋１は，その一部又は全面に１つ又は連続したエンボス３を有する。そして，１つ又は連続したエンボスを構成する単位エンボスは，ロゴマークを含む，ロゴマークは，特定の記号であったり，イラストを意味する。ロゴマークの例は，日本有機資源協会によるバイオマスマーク，又は日本バイオプラスチック協会によるバイオマスプラのシンボルマークの形状である。ロゴマークの別の例は，企業のハウスマークである。また，何か訴えたいメッセージがある場合，それをロゴマークとして，エンボスを形成してもよい。いずれにせよ，インクを用いず，エンボスにて表現することで，環境にやさしく，リサイクルもしやすい袋を製造できる。また，袋には，上記のバイオマスマークやバイオマスプラのシンボルマークのように，使用原料を示す記号を表示することがある。この考案では，そのような使用原料を示すものを印刷ではなく，エンボスにて表現できる。先に説明した通り，この考案の特徴のひとつは，ロゴマークにより，インクの代わりに袋の原材料情報や特長を表記することができる袋である点である。
【００１４】
図３は，複数種類のロゴマークの形状を有するエンボスを有する袋を説明するための概念図である。図３の例では，バイオマスマーク３ａ，バイオマスプラマーク３ｂ，グリーンプラマーク３ｃ，エコマーク３ｄ及びプラスチック製容器包装識別マーク３ｅの形状を有するエンボスが形成されている。
【００１５】
それぞれのエンボスは，フィルム加工をする際に，エンボスの形状に対応した凹凸を有するローラを通過させることで容易に形成することができる。エンボスは，周囲の部分より，高くされている部位又は低くされている部位により，形成されればよい。エンボスは周囲の部分より，０．０１ｍｍ以上２ｍｍ高いか又は低いことにより形成されてもよいし，０．１ｍｍ以上１ｍｍ以下高いか又は低いことにより形成されてもよい。
【００１６】
この考案の袋は，その表面にエンボスが形成されているので，複数の袋が重なった状態で頒布された後も，１枚ずつ取り出しやすい。
【実施例】
【００１７】
実際にエンボスが形成された袋を製造した。
図４は，全面にエンボスを設けた袋の設計図の例である。図５は，実際に製造した袋の図面に替わる写真である。
【産業上の利用可能性】
【００１８】
この考案は，袋産業において利用され得る。
【符号の説明】
【００１９】
１  袋
３  エンボス
【図１】
0003221743.tif 000003
【図２】
0003221743.tif 000004
【図３】
0003221743.tif 000005
【図４】
0003221743.tif 000006
【図５】
0003221743.tif 000007